(57)【特許請求の範囲】
【請求項１】
壁面に取り付けられる壁掛けベースと、壁掛けベースに取り付けられ、ハンディコール端末が吊り下げられるフックと、を備えたハンディコール壁掛けユニットであって、
前記フックは、
弾性体で形成され、
前記ハンディコール端末が吊り下げられるように一方の端部が他方の端部側に向かって湾曲し、前記他方の端部が把持部として前記一方の端部よりも肉厚に形成されたフック本体と、
前記フック本体の背面から突出するように、前記フック本体の一方の端部と前記他方の端部との間の位置を含む位置に形成された円柱状の取付部と、
前記取付部の先端部に設けられ、当該取付部の外周面から前記フック本体の一方の端部および他方の端部のそれぞれに向けて径方向外方に張り出した一対の鍔部と、を有し、
前記壁掛けベースは、
前記一対の鍔部が設けられた前記取付部の先端部の形状に倣った挿入口と、
前記壁掛けベースの裏面において前記挿入口の周囲に形成され、当該挿入口に挿入された前記取付部を、前記フック本体の背面と前記一対の鍔部との間に前記壁掛けベースが挿入されるように回転させることにより、上面が当該取付部の先端部に設けられた前記一対の鍔部と摺動する円弧状凸部と、
前記一対の鍔部のそれぞれに対応する前記挿入口の部位から周方向に所定量だけ離れた位置に設けられ、前記一対の鍔部のそれぞれと係合して、前記取付部の回転を阻止する一対のストッパと、を有し、
前記円弧状凸部は、
前記一対の鍔部のそれぞれに対応する前記挿入口の部位から周方向に離れるにつれて、前記上面が前記壁掛けベースの裏面から離れるカム形状をしている
ことを特徴とするハンディコール壁掛けユニット。
【請求項２】
請求項１に記載のハンディコール壁掛けユニットであって、
前記フックは、
前記フック本体の背面に設けられた凸部をさらに有し、
前記壁掛けベースは、
前記壁掛けベースに形成され、前記フックの前記凸部を収容して、前記挿入口に前記取付部が挿入された当該フックの回転中、前記凸部を案内する円弧状のガイド溝をさらに有する
ことを特徴とするハンディコール壁掛けユニット。
【請求項３】
請求項１または２に記載のハンディコール壁掛けユニットであって、
前記壁掛けベースを壁面に取り付けるための取付枠と、
前記取付枠により壁面に取り付けられた前記壁掛けベースを露出させつつ、当該取付枠を覆う化粧プレートと、をさらに備える
ことを特徴とするハンディコール壁掛けユニット。
【発明の詳細な説明】
【技術分野】
【０００１】
本発明は、医療施設、介護施設等で用いられるハンディコールシステムにおいて、患者、要介護者等が看護師、職員を呼び出すときに使用するハンディコール端末を壁面に吊り下げて保持するためのハンディコール壁掛けユニットに関する。
【背景技術】
【０００２】
従来、医療施設、介護施設等で用いられるハンディコールシステムにおいて、患者、要介護者等が看護師、職員を呼び出すときに使用するハンディコール端末を壁面に吊り下げて保持するためにハンディコール壁掛けユニットが用いられている。
【０００３】
例えば、特許文献１には、壁面に取り付けられる基部と、基部の表面に対して突出してハンディコール端末が吊り下げられるフックと、を備え、フックの下部を、基部から離間する方向に回動可能に軸支するシャフトが設けられるとともに、フックの上部に、基部に対して着脱可能なツメ部が設けられたハンディコール壁掛けユニットが開示されている。このハンディコール壁掛けユニットにおいて、フックに吊り下げられたハンディコール端末を引っ張ると、フックに対して、回動可能な方向に外力が加えられ、フックの上部に設けられたツメ部が基部から外れ、フックが、フックの下部に設けられたシャフト周りを基部から離間する方向に回動する。これにより、フックが倒れて、ハンディコール端末をフックから取り外すことができる。
【先行技術文献】
【特許文献】
【０００４】
【特許文献１】特開２０１５−１５０３６０号公報
【発明の概要】
【発明が解決しようとする課題】
【０００５】
しかしながら、特許文献１に記載のハンディコール壁掛けユニットは、フックが壁面（基部）から突出しているため、患者、要介護者等が意図せずフックに接触したときに、フックに対して、回動可能な方向以外の方向に外力が加わり、フックを破損する可能性がある。また、フックの下部に、基部から離間する方向に回動可能に軸支するシャフトを設ける必要があり、このため、部品点数が増加してコストが増大する。
【０００６】
本発明は、上記事情に鑑みてなされたものであり、その目的は、フックの破損を防止することが可能な低コストのハンディコール壁掛けユニットを提供することにある。
【課題を解決するための手段】
【０００７】
上記課題を解決するために、本発明では、壁面に取り付けられる壁掛けベースと、壁掛けベースに取り付けられ、ハンディコール端末が吊り下げられるフックと、を備えたハンディコール壁掛けユニットにおいて、フックを弾性体で形成した。ここで、フックを形成する弾性体には、例えば、オレフィン系エラストマー、スチレン系エラストマー等の合成樹脂系エラストマー、あるいは、天然ゴム、合成ゴム等のゴムを用いることができる。
例えば、本発明は、
壁面に取り付けられる壁掛けベースと、壁掛けベースに取り付けられ、ハンディコール端末が吊り下げられるフックと、を備えたハンディコール壁掛けユニットであって、
前記フックは、
弾性体で形成され、
前記ハンディコール端末が吊り下げられるように一方の端部が他方の端部側に向かって湾曲し、前記他方の端部が把持部として前記一方の端部よりも肉厚に形成されたフック本体と、
前記フック本体の背面から突出するように、前記フック本体の一方の端部と前記他方の端部との間の位置を含む位置に形成された円柱状の取付部と、
前記取付部の先端部に設けられ、当該取付部の外周面から前記フック本体の一方の端部および他方の端部のそれぞれに向けて径方向外方に張り出した一対の鍔部と、を有し、
前記壁掛けベースは、
前記一対の鍔部が設けられた前記取付部の先端部の形状に倣った挿入口と、
前記壁掛けベースの裏面において前記挿入口の周囲に形成され、当該挿入口に挿入された前記取付部を、前記フック本体の背面と前記一対の鍔部との間に前記壁掛けベースが挿入されるように回転させることにより、上面が当該取付部の先端部に設けられた前記一対の鍔部と摺動する円弧状凸部と、
前記一対の鍔部のそれぞれに対応する前記挿入口の部位から周方向に所定量だけ離れた位置に設けられ、前記一対の鍔部のそれぞれと係合して、前記取付部の回転を阻止する一対のストッパと、を有し、
前記円弧状凸部は、
前記一対の鍔部のそれぞれに対応する前記挿入口の部位から周方向に離れるにつれて、前記上面が前記壁掛けベースの裏面から離れるカム形状をしている。
【発明の効果】
【０００８】
本発明では、壁面（壁掛けベース）から突出するフックを弾性体で形成しているので、フックに吊り下げられたハンディコール端末を引っ張ると、フックが弾性変形し、これより、ハンディコール端末をフックから取り外すことができる。また、患者、要介護者等が意図せずフックに接触しても、フックを破損する可能性が低い。さらに、フックを回動可能に軸支するシャフト等の部材を設ける必要がない。したがって、本発明によれば、フックの破損を防止することが可能な低コストのハンディコール壁掛けユニットを提供することができる。
【図面の簡単な説明】
【０００９】
【図１】図１（Ａ）および図１（Ｂ）は、ハンディコール端末２が吊り下げられた状態の、本発明の一実施の形態に係るハンディコール壁掛けユニット１の正面図および側面図である。
【図２】図２は、本発明の一実施の形態に係るハンディコール壁掛けユニット１の部品展開図である。
【図３】図３（Ａ）、図３（Ｂ）、図３（Ｃ）、および図３（Ｄ）は、フック１３の上面図、正面図、側面図、および背面図である。
【図４】図４（Ａ）、図４（Ｂ）、図４（Ｃ）、および図４（Ｄ）は、壁掛けベース１０の正面図、側面図、背面図、および底面図である。
【図５】図５（Ａ）および図５（Ｂ）は、図５（Ａ）に示す壁掛けベース１０のＡ−Ａ断面図およびＢ−Ｂ断面図であり、図５（Ｃ）は、円弧状凸部１０５およびストッパ１０６を周方向に展開することで得られるカムプロファイルを示す図である。
【図６】図６（Ａ）〜図６（Ｆ）は、フック１３を壁掛けベース１０へ取り付ける方法を説明するための図である。
【発明を実施するための形態】
【００１０】
以下に、本発明の一実施の形態について図面を参照して説明する。
【００１１】
図１（Ａ）および図１（Ｂ）は、ハンディコール端末２が吊り下げられた状態の、本実施の形態に係るハンディコール壁掛けユニット１の正面図および側面図である。また、図２は、本実施の形態に係るハンディコール壁掛けユニット１の部品展開図である。
【００１２】
図示するように、ハンディコール壁掛けユニット１は、壁掛けベース１０と、壁掛けベース１０に取り付けられ、ハンディコール端末２が吊り下げられるフック１３と、壁、ボード等の壁面４に壁掛けベース１０を取り付けるための取付枠１１と、取付枠１１により壁面４に取り付けられた壁掛けベース１０を露出させつつ取付枠１１を覆う化粧プレート１２と、を備えている。
【００１３】
フック１３は、例えば、オレフィン系エラストマー、スチレン系エラストマー等の合成樹脂系エラストマー、あるいは、天然ゴム、合成ゴム等のゴムといった弾性材料で形成される。
【００１４】
図３（Ａ）、図３（Ｂ）、図３（Ｃ）および図３（Ｄ）は、フック１３の上面図、正面図、側面図および背面図である。
【００１５】
図示するように、フック１３は、ハンディコール端末２が吊り下げられるように一方の端部１３８が湾曲したフック本体１３０と、フック本体１３０の他方の端部１３１に形成された肉厚の把持部１３２と、フック本体１３０の背面１３７から突出するように設けられ、壁掛ベース１０に取り付けられる円柱状の取付部１３３と、取付部１３３の先端部１３４に設けられ、取付部１３３の外周面から径方向外方に張り出した一対の鍔部１３５と、フック本体１３０の背面１３７に設けられ、壁掛けベース１０へのフック取付け時に後述のガイド溝１０７により案内される凸部１３６と、を有する。
【００１６】
壁掛けベース１０は、例えばＡＢＳ樹脂等の合成樹脂で形成され、フック１３の取付けベースとして用いられるとともに、ハンディコール端末２とともにハンディコールシステムを構成する主装置（サーバ）にハンディコール端末２を接続するための通信基板（不図示）を収容する。
【００１７】
図４（Ａ）、図４（Ｂ）、図４（Ｃ）および図４（Ｄ）は、壁掛けベース１０の正面図、側面図、背面図および底面図であり、図５（Ａ）および図５（Ｂ）は、図４（Ａ）に示す壁掛けベース１０のＡ−Ａ断面図およびＢ−Ｂ断面図である。また、図５（Ｃ）は、後述の円弧状凸部１０５およびストッパ１０６を周方向に展開することで得られるカムプロファイルを示す図である。
【００１８】
図示するように、壁掛けベース１０は、壁掛けベース１０の裏面１１０側に収容された通信基板に設けられたジャック（不図示）が挿入される差込口１００と、この通信基板に設けられたプッシュスイッチ（不図示）のスイッチ部を壁掛けベース１０の表面１０９から突出させるためのスイッチ用開口１０１と、取付枠１１の係止用穴１２０（図２参照）に係止して、壁掛けベース１０を取付枠１１に固定する一対のスナップフィット１０８と、を有する。また、壁掛けベース１０の表面１０９には、合成樹脂系エラストマー、ゴム等の弾性体で形成されたカバー１０２が、スイッチ用開口１０１から突出したスイッチ部を覆うように装着されている。
【００１９】
差込口１００に収容されたジャックには、ハンディコール端末２に接続された通信ケーブル３のプラグが接続され、これにより、ハンディコール端末２は、通信基板を介して、主装置に収容された所定の電話端末を呼び出したり、この電話端末と通話したりすることができる。また、プッシュスイッチは、ハンディコール端末２の通話状態を解除する復旧ボタンとして機能するものであり、スイッチ用開口１０１から突出したスイッチ部がカバー１０２を介して押圧されると、通信基板を介して主装置に通話状態の解除信号（オンフック信号）を送出する。
【００２０】
また、図示するように、壁掛けベース１０は、フック１３の取付部１３３の頭部（一対の鍔部１３５が設けられた先端部１３４）が挿入される挿入口１０３と、挿入口１０３内に挿入されたフック１３の取付部１３３の頭部が突き当たる位置に設けられた底部１０４と、壁掛けベース１０の裏面１１０において挿入口１０３の周囲に形成された一対の円弧状凸部１０５および一対のストッパ１０６と、挿入口１０３内に挿入されるフック１３の取付部１３３の軸心周りの円弧に沿って壁掛けベース１０の表面１０９に形成された円弧状のガイド溝１０７と、をさらに有する。
【００２１】
挿入口１０３は、フック１３において、取付部１３３の頭部の輪郭に沿った形状をしており、これより、挿入口１０４へ挿入する際のフック１３の取付部１３３の向き（一対の鍔部１３５の角度位置）が制限される。
【００２２】
底部１０４は、挿入口１０３に挿入されたフック１３の取付部１３３の頭部と当接する。
【００２３】
円弧状凸部１０５の上面１１１は、底部１０４に当接するように挿入口１０３に挿入されたフック１３の取付部１３３をフック取付方向（壁掛けベース１０のガイド溝１０７の一方の端部から他方の端部にフック１３の凸部１３６が移動する方向）に回転させることにより、この取付部１３３の頭部に設けられた鍔部１３５と摺動する。また、円弧状凸部１０５の上面１１１は、鍔部１３５に対応する挿入口１０３の部位（鍔部挿入部位）からフック取付方向に向かうにつれて、壁掛けベース１０の裏面１１０からの距離が徐々に大きくなり、鍔部挿入部位とストッパ１０６との間の所定の位置で壁掛けベース１０の裏面１１０の位置に戻るカム形状をしている（図５（Ｃ）参照）。
【００２４】
ストッパ１０６は、鍔部１３５に対応する挿入口１０３の部位からフック取付方向に所定角度Ｔだけ離れた位置に設けられ、フック取付方向への鍔部１３５の回転を阻止する。これにより、円弧状凸部１０５と連携して、挿入口１０３に挿入されたフック１３の取付部１３３の回転を阻止する。
【００２５】
取付部１３３が所定の向きで挿入口１０３に挿入されると、フック１３の凸部１３６が、ガイド溝１０７の一方の端部の位置（初期位置）に収容される。この状態からフック１３を、フック取付方向に回転させると、凸部１３６が、ガイド溝１０７により取付部１３３の軸心周りに初期位置から他方の端部に向かって案内される。このため、フック１３は取付部１３３の軸心周りに回転する。また、取付部１３３が挿入口１０３に挿入されたフック１３の回転は、フック１３の凸部１３６がガイド溝１０７内で移動可能な範囲に制限される。
【００２６】
つぎに、フック１３を壁掛けベース１０へ取り付ける方法について説明する。
【００２７】
図６（Ａ）〜図６（Ｆ）は、フック１３を壁掛けベース１０へ取り付ける方法を説明するための図である。
【００２８】
ここで、図６（Ａ）は、フック１３が未装着の状態のハンディコール壁掛けユニット１の正面図であり、図６（Ｂ）は、図６（Ａ）に示すハンディコール壁掛けユニット１のＣ−Ｃ断面図（ただし、取付枠１１および化粧プレート１２は省略）であり、図６（Ｃ）は、図６（Ａ）に示すハンディコール壁掛けユニット１のＤ部背面図（ただし、挿入口１０３の底部１０４は省略）である。
【００２９】
また、図６（Ｄ）は、フック１３が壁掛けベース１０へ取り付けられた状態のハンディコール壁掛けユニット１の正面図であり、図６（Ｅ）は、図６（Ｄ）に示すハンディコール壁掛けユニット１のＥ−Ｅ断面図（ただし、取付枠１１および化粧プレート１２は省略）であり、図６（Ｆ）は、図６（Ｄ）に示すハンディコール壁掛けユニット１のＦ部背面図（ただし、挿入口１０３の底部１０４は省略）である。
【００３０】
まず、図６（Ａ）〜図６（Ｃ）に示すように、フック１３の把持部１３２を把持し、フック１３の凸部１３６を壁掛けベース１０のガイド溝１０７の一方の端部に位置合わせし、フック１３の取付部１３３の頭部の向きを壁掛けベース１０の挿入口１０３の向きに合わせながら、フック１３の取付部１３３の頭部を、壁掛けベース１０の挿入口１０３に挿入する。このとき、鍔穴１０３が取付部１３３の頭部（鍔部１３５が設けられた先端部１３４）の輪郭に倣った形状をしているため、フック１３の取付部１３３は所定の向きで挿入口１０３へ挿入される。
【００３１】
つぎに、取付部１３３の頭部を挿入口１０３の底部１０４を押し当てながら、フック１３をフック取付方向に回転させると、フック１３の取付部１３３の頭部に設けられた一対の鍔部１３５が、弾性変形しながら、壁掛けベース１０の裏面１１０に形成された一対の円弧状凸部１０５の上面１１１と摺動する。
【００３２】
そして、図６（Ｄ）〜図６（Ｆ）に示すように、各鍔部１３５がストッパ１０６に接触するまでフック本体１３０をフック取付方向に回転させると、鍔部１３５が円弧状凸部１０５とストッパ１０６と間に位置して両者と係合する。これにより、挿入口１０３に挿入されたフック１３の取付部１３３の回転が阻止され、フック１３が壁掛けベース１０に固定される。
【００３３】
以上、本発明の一実施の形態について説明した。
【００３４】
本実施の形態では、壁面４（壁掛けベース１０）から突出するフック１３を弾性体で形成しているので、フック１３に吊り下げられたハンディコール端末２を、フック１３に対して所定の角度範囲の方向に引っ張ると、フック本体１３０の一方の端部１３８が開く方向に弾性変形し、これより、ハンディコール端末２をフック１３から取り外すことができる。また、患者、要介護者等がフック１３に接触しても、フック本体１３０が弾性変形して衝撃を吸収するため、フック１３を破損する可能性が低い。さらに、フック１３を回動可能に軸支するシャフト等の部材を設ける必要がない。したがって、本実施の形態によれば、フック１３の破損を防止することが可能な低コストのハンディコール壁掛けユニット１を提供することができる。
【００３５】
また、本実施の形態において、フック１３は、ハンディコール端末２が吊り下げられるフック本体１３０と、フック本体１３０の背面１３７に設けられた取付部１３３と、取付部１３３の先端部１３４に設けられ、取付部１３３の側面から径方向外方に張り出した一対の鍔部１３５と、を有し、壁掛けベース１０は、フック１３の取付部１３３の一対の鍔部１３５が設けられた先端部１３４の形状に倣った挿入口１０３と、壁掛けベース１０の裏面１１０において挿入口１０３の周囲に形成され、挿入口１０３に挿入された取付部１３３を回転させることにより、上面１１１が取付部１３３の先端部１３４に設けられた一対の鍔部１３５と摺動する一対の円弧状凸部１０５と、を有する。そして、円弧状凸部１０５は、鍔部１３５に対応する挿入口１０３の部位から周方向に離れるにつれて、上面１１１が壁掛けベース１０の裏面１１０から離れるカム形状をしており（図５（Ｃ）参照）、鍔部１３５に対応する挿入口１０３の部位から周方向に所定量Ｔだけ離れた位置に、鍔部１３５と係合して、取付部１３３の回転を阻止する一致のストッパ１０６を有する。このため、フック１３の取付部１３３を壁掛けベース１０の挿入口１０３に挿入して、取付部１３３の先端部１３４を挿入口１０３の底部１０４を押し当てながら、フック１３を回転させることにより、フック１３を壁掛けベース１０に固定することができる。このように、本実施の形態によれば、簡単な操作でフック１３を壁掛けベース１０に取り付けることが可能となる。
【００３６】
また、本実施の形態において、フック１３は、フック本体１３０の背面１３７に設けられた凸部１３６を有し、壁掛けベース１０は、壁掛けベース１０の表面１０９に形成され、取付部１３３が挿入口１０３に挿入されたフック１３の凸部１３６を収容して、フック１３の回転方向および回転範囲を規制する円弧状のガイド溝１０７を有する。これにより、フック１３の壁掛けベース１０への誤装着を防止することができる。
【００３７】
なお、本発明は上記事情に限定されるものではなく、その要旨の範囲内で数々の変形が可能である。
【００３８】
例えば、上記の実施の形態では、フック１３の背面１３７に設けられた取付部１３３の先端部１３４に一対の鍔部１３５を設けているが、本発明はこれに限定されない。鍔部１３５は少なくとも一つ設けられていればよい。この場合、壁掛けベース１０の裏面１１０に設ける円弧状凸部１０５およびストッパ１０６も少なくとも一ずつあればよい。
【００３９】
また、上記の実施の形態では、壁掛けベース１０のスナップフィット１０８を取付枠１１の係止用穴１２０に係止させることにより、壁掛けベース１０を取付枠１１に取り付けているが、本発明はこれに限定されない。例えば、ねじ止め、接着剤等、壁掛けベース１０を所定の強度で取付枠１１に取付け可能なその他の接合手段により、壁掛けベース１０を取付枠１１に取り付けてもよい。
【符号の説明】
【００４０】
１：ハンディコール壁掛けユニット    ２：ハンディコール端末
３：通信ケーブル    ４：壁面    １０：壁掛けベース    １１：取付枠
１２：化粧ケース    １３：フック
１００：差込口    １０１：スイッチ用開口    １０２：カバー
１０３：挿入口    １０４：挿入口１０３の底部    １０５：円弧状凸部
１０６：ストッパ    １０７：ガイド溝    １０８：スナップフィット
１０９：壁掛けベース１０の表面    １１０：壁掛けベース１０の裏面
１１１：円弧状凸部１０５の上面    １３０：フック本体
１３１，１３８：  端部    １３２：把持部
１３３：取付部    １３４：取付部１３３の先端部
１３５：鍔部    １３６：凸部    １３７：フック本体１３０の背面
【要約】
【課題】フックの破損を防止することが可能な低コストのハンディコール壁掛けユニットを提供する。
【解決手段】ハンディコール壁掛けユニット１は、壁面４に取り付けられる壁掛けベース１０と、壁掛けベース１０に取り付けられ、ハンディコール端末２が吊り下げられるフック１３と、を備えており、フック１３は、弾性体で形成されている。ここで、フック１３を形成する弾性体には、例えば、オレフィン系エラストマー、スチレン系エラストマー等の合成樹脂系エラストマー、あるいは、天然ゴム、合成ゴム等のゴムが用いられる。
【選択図】図１【図１】
0006863513.tif 000002
【図２】
0006863513.tif 000003
【図３】
0006863513.tif 000004
【図４】
0006863513.tif 000005
【図５】
0006863513.tif 000006
【図６】
0006863513.tif 000007